(57)【要約】  複数の無線回線を介してデータを送受信する無線送受信手段と、少なくとも１回線の有線回線を介してデータを送受信する有線送受信手段と、を備え、前記有線回線を介して受信したデータを前記無線回線を介して送信する無線伝送装置。前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御手段と、前記送信データを、前記複数の無線回線の各々の無線伝送容量の比に基づいて前記複数の無線回線の各々に分配する送信データ分配手段と、を備える。
2011052446.tif 000002
【特許請求の範囲】
【請求項１】
複数の無線回線を介してデータを送受信する無線送受信手段と、少なくとも１回線の有線回線を介してデータを送受信する有線送受信手段と、を備え、前記有線回線を介して受信したデータを前記無線回線を介して送信する無線伝送装置であって、
前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御手段と、
前記送信データを、前記複数の無線回線の各々の無線伝送容量の比に基づいて前記複数の無線回線の各々に分配する送信データ分配手段と、を備えたことを特徴とする無線伝送装置。
【請求項２】
前記複数の無線回線の各々の無線伝送容量及びトータル伝送容量は、動的に変化するものであることを特徴とする請求項１記載の無線伝送装置。
【請求項３】
前記有線回線は、ＬＡＮ回線であることを特徴とする請求項１記載の無線伝送装置。
【請求項４】
前記複数の無線回線の各々の変調方式を制御し、該変調方式に応じた各無線回線の無線伝送容量を出力する変調方式制御手段を更に備えたことを特徴とする請求項１記載の無線伝送装置。
【請求項５】
異なる２地点間を複数の無線回線で結び、データを送信する無線伝送方法であって、前記複数の無線回線の各々を監視し、前記複数の無線回線の各々の伝送容量が変化した場合に、それら伝送容量の比に基づいて、送信するデータを前記複数の無線回線の各々に分配することを特徴とする無線伝送方法。
【請求項６】
前記複数の無線回線を介してデータを送受信する無線送受信ステップと、少なくとも１回線の有線回線を介してデータを送受信する有線送受信ステップと、を備え、前記有線回線を介して受信したデータを前記無線回線を介して送信する無線伝送方法であって、
前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御ステップと、
前記送信データを、前記複数の無線回線の各々の無線伝送容量の比に基づいて前記複数の無線回線の各々に分配する送信データ分配ステップと、を有することを特徴とする請求項５記載の無線伝送方法。
【請求項７】
前記複数の無線回線の各々の無線伝送容量及びトータル伝送容量は、動的に変化するものであることを特徴とする請求項６記載の無線伝送方法。
【請求項８】
前記複数の無線回線の各々の変調方式を制御し、該変調方式に応じた各無線回線の無線伝送容量を出力する変調方式制御ステップを更に有することを特徴とする請求項６記載の無線伝送方法。
【請求項９】
異なる２地点間を前記複数の無線回線で結ぶ請求項１から４のいずれか１項に記載の無線伝送装置を構成要素に含む無線伝送網。
【請求項１０】
複数の無線回線を介してデータを送受信する無線送受信ステップと、少なくとも１回線の有線回線を介してデータを送受信する有線送受信ステップと、を備え、前記有線回線を介して受信したデータを前記無線回線を介して送信する無線伝送装置の制御をコンピュータに実行させるコンピュータプログラムであって、
前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御ステップと、
前記送信データを、前記複数の無線回線の各々の無線伝送容量の比に基づいて前記複数の無線回線の各々に分配する送信データ分配ステップと、を有することを特徴とするコンピュータプログラム。
【発明の詳細な説明】
【技術分野】
【０００１】
本発明は無線伝送装置、無線伝送方法、無線伝送網、及びコンピュータプログラムに係り、特に、有線回線とも接続され、適応変調機能（以下、「ＡＭＲ(Adaptive Modulation Radio)機能」と称する）を具備して、異なる２地点間を複数の無線回線で結ぶことができる無線伝送装置、無線伝送方法、無線伝送網、及びコンピュータプログラムに関する。
本願は、２００９年１０月２９日に出願された特願２００９−２４８７３５号に基づき優先権を主張し、その内容をここに援用する。
【背景技術】
【０００２】
近年、異なる２地点間を複数の無線回線で結ぶことが可能な無線伝送装置として、ＡＭＲ機能を具備したものが開発されている。
このような無線伝送装置の場合、有線回線のデータを該複数の無線回線で送信するには、該複数の無線回線の回線状態を監視し、それぞれの無線回線の伝送容量が変化した場合には、データ受信したそれぞれの無線回線の伝送容量に応じた送信データの負荷分散を行う機能（ロードバランス機能）を実現することが１つの課題であった。
また、無線回線の変調方式に応じた伝送容量情報を検出し、送信データ量が複数の無線回線のトータル伝送容量値を上回る場合にはフロー制御を行うことによって、無線回線での送信データの破棄を防止できるようにすることが１つの課題であった。【０００３】
このような課題の解決を意図して、特許文献１には、回線の負荷分散を行うためのしきい値の設定を各々の回線容量に基づいて行うことで、システムにおける回線数や回線容量などの変更にも対応した負荷分散を可能にし、全回線のトータル回線容量以下のデータ送信量を処理する限りは、特定の回線における回線容量の不足が原因でのデータ廃棄を防ぐことができるようにした技術を開示している。
また、特許文献２には、無線回線を通過する情報のトラフィック量が動的に変化する場合に、実行伝送速度を取得する技術を開示しており、また、送出パケットを各回線の帯域に応じた長さの短パケットに分割する機能を開示している。
【先行技術文献】
【特許文献】
【０００４】
【特許文献１】特開２００１−１３６２０８号公報
【特許文献２】特開２０００−２１６８１５号公報
【発明の概要】
【発明が解決しようとする課題】
【０００５】
ところで、上記背景技術で述べた既成の無線伝送装置にあっては、例えば、前述の特許文献１に記載されているロードバランス制御方式の場合、前述のとおり、回線の負荷分散をするためのしきい値の設定を、予め定められた各々の回線容量に基づいて行っており、この処置は、ロードバランス制御方式の運用中は回線容量が変化しないことを前提としている。
ロードバランス制御方式の運用中以外の場合は、静的な回線数や回線容量の変化に応じて、送信データの負荷分散を行うことにより、全回線のトータル回線容量以下の送信データ量を処理する限りは、たしかに、特定の回線における回線容量不足による送信データの破棄を防げるものとしてよい。【０００６】
しかしながら、ＡＭＲ機能を具備した無線伝送装置の場合、無線回線の変調方式に応じて無線回線の伝送容量が動的に変化するので、前述の特許文献１に記載されているロードバランス制御方式を適用すると、複数の無線回線のトータル伝送容量が減少し、送信データ量が全回線のトータル伝送容量を超えてしまう場合には、無線回線部分にて送信データの破棄が生じるという課題点が有った。  【０００７】
即ち、既成の無線伝送装置の第１の問題点は、回線インタフェース設定部にて予め制御する回線の数や各々の回線容量を設定する必要があるため、静的なシステムの変更には適応可能であっても、ＡＭＲ機能による動的な無線回線の伝送容量の変化には対応できないということにあった。
また、既成の無線伝送装置の第２の問題点は、全回線のトータル回線容量以下のデータ送信量を処理する限りはデータの破棄を防ぐことが可能であっても、特定の回線の回線容量が動的に変化したり、特定の回線容量が少なくなって、回線のトータル回線容量をデータ送信量が越えてしまう場合には、回線部分においてデータの破棄が生じてしまうことがあるということにあった。【０００８】
本発明は、上記従来の問題点に鑑みてなされたものであって、ＡＭＲ機能を具備した無線伝送装置において、特定の無線回線の伝送容量が変化した場合にも無線回線の変調方式に応じた伝送容量と送信データ量とに基づいてフロー制御を行うことを可能にして、無線回線区間での送信データの破棄を防ぐと共に、無線回線各々の伝送容量の比率に応じて送信データの負荷分散を行うことができるロードバランス制御回路を備えた無線伝送装置を提供することを目的としている。
【課題を解決するための手段】
【０００９】
上記課題を解決するために、本発明は、複数の無線回線を介してデータを送受信する無線送受信手段と、少なくとも１回線の有線回線を介してデータを送受信する有線送受信手段と、を備え、前記有線回線を介して受信したデータを前記無線回線を介して送信する無線伝送装置であって、前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御手段と、前記送信データを、前記複数の無線回線の各々の無線伝送容量の比に基づいて前記複数の無線回線の各々に分配する送信データ分配手段と、を備えた無線伝送装置を提供する。【００１０】
また、本発明は、異なる２地点間を複数の無線回線で結び、データを送信する無線伝送方法であって、前記複数の無線回線の各々を監視し、前記複数の無線回線の各々の伝送容量が変化した場合に、それら伝送容量の比に基づいて、送信するデータを前記複数の無線回線の各々に分配することを特徴とする無線伝送方法も提供する。
典型的には、前記複数の無線回線を介してデータを送受信する無線送受信ステップと、少なくとも１回線の有線回線を介してデータを送受信する有線送受信ステップと、を備え、前記有線回線を介して受信したデータを前記無線回線を介して送信する無線伝送方法であって、前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御ステップと、前記送信データを、前記複数の無線回線の各々の無線伝送容量の比に基づいて前記複数の無線回線の各々に分配する送信データ分配ステップと、を有する。【００１１】
さらに、本発明に係る無線伝送網として、異なる２地点間を複数の無線回線で結ぶ前記無線伝送装置を構成要素に含む無線伝送網を提供する。【００１２】
また、本発明は、複数の無線回線を介してデータを送受信する無線送受信ステップと、少なくとも１回線の有線回線を介してデータを送受信する有線送受信ステップと、を備え、前記有線回線を介して受信したデータを前記無線回線を介して送信する無線伝送装置の制御をコンピュータに実行させるコンピュータプログラムであって、前記有線回線を介して受信したデータを前記無線回線を介して送信する送信データに変換するに際して、前記有線回線を介して受信したデータのデータ量が前記複数の無線回線のトータル伝送容量を超えている場合に、前記有線回線を介して受信したデータを前記無線回線の帯域に合わせて絞った送信データに変換するフロー制御を行うフロー制御ステップと、前記送信データを、前記複数の無線回線の各々の無線伝送容量の比に基づいて前記複数の無線回線の各々に分配する送信データ分配ステップと、を有するコンピュータプログラムも提供する。【００１３】
なお、前述の特許文献２に記載の技術の場合、前述のとおり、無線回線を通過する情報のトラフィック量が動的に変化する場合の技術であるが、本発明の無線伝送装置では、回線の帯域が動的に変化する場合に対処しており、即ち、実行伝送速度ではなく、無線回線の帯域が動的に変化した場合にも各無線回線へのデータの振り分けを可能にしているため、機能及び構成が異なっている。
また、本発明では、前述の特許文献２に記載のように、送出パケットを各回線の帯域に応じた長さの短パケットに分割する機能により、送信データの破棄を防止するものではなく、フロー制御を行うこと（即ち、送信データについて、無線回線帯域の帯域に合わせた絞り込みを実施すること)により、送信データの破棄を防止している。
【発明の効果】
【００１４】
以上説明したように、本発明の無線伝送装置によれば、送信データの送信データ量を監視し、複数の無線回線のトータル伝送容量を超えないように送信データのフロー制御を行って、回線の帯域に合わせて送出データ量を絞った送信データに変換し、各無線回線の無線伝送容量の比に基づいて送信データの分配を行うので、無線回線系統における送信データの破棄を生じさせずに適切なロードバランス制御を行うことが可能となる効果が有る。
【図面の簡単な説明】
【００１５】
【図１】本発明の実施形態に係る無線伝送装置の全体構成を示す構成図である。
【図２】本発明の実施形態に係る無線伝送装置のロードバランス制御部１１の構成を示す構成図である。
【図３】無線回線の伝送容量情報と送信データ量との関係を１実施例データとして示す説明図である。
【図４】無線回線の伝送容量情報と送信データ量との他の関係を１実施例データとして示す説明図である。
【発明を実施するための形態】
【００１６】
本発明の無線伝送装置及び無線伝送方法並びに無線伝送網は、異なる２地点間を複数の無線回線で結ぶことが可能な無線伝送装置及び無線伝送方法並びに無線伝送網であり、特に、本発明の無線伝送装置は、ＡＭＲ機能を具備して、複数の無線回線の回線状態を監視し、それぞれの無線回線の伝送容量が変化した場合にも受信したそれぞれの無線回線の伝送容量に応じた送信データの負荷分散を行うことを特徴とするロードバランス機能を実現する。
また、本発明の無線伝送装置は、無線回線の変調方式に応じた伝送容量情報を検出し、送信データ量が無線回線のトータル伝送容量値を上回る場合にはフロー制御（一度に送出するデータ量の調整）を行うことによって無線回線での送信データの破棄を防止することができるように構成している。
【００１７】
以下、本発明の無線伝送装置、無線伝送方法、無線伝送網、及びコンピュータプログラムの実施形態について、図面を参照して詳細に説明する。
図１は、本発明の実施形態に係る無線伝送装置の全体構成を示す構成図である。
同図において、本実施形態の無線伝送装置１は、ＬＡＮ（Ｌｏｃａｌ  Ａｒｅａ  Ｎｅｔｗｏｒｋ）回線Ｅ１を介して送信データＤ１０を受信するロードバランス制御部１１と、無線回線送信データＤ１の変復調を行う変復調機能部１２と、無線回線送信データＤ５の変復調を行う変復調機能部１３と、無線回線Ｒ１，Ｒ２を介した信号の送受信を行う無線送受信回路１４と、ＬＡＮ回線Ｅ１を介して受信データＤ１１を送信する受信データ制御部１５と、を備える。
例えば、ＬＡＮ回線Ｅ１は、ＩＥＥＥ８０２．３委員会によって標準化された規格によるものとする。
【００１８】
以下、本実施形態の無線伝送装置の機能を各構成要素に基づいて説明する。
図１において、ロードバランス制御部１１は、無線伝送装置１にＬＡＮ回線Ｅ１から受信した送信データＤ１０を無線回線Ｒ１及び無線回線Ｒ２へ振り分けるための制御を行なう。
この振り分けは、変復調機能部１２から受信した伝送容量情報Ｄ４と、変復調機能部１３から受信した伝送容量情報Ｄ６とに基づいて行い、ロードバランス制御部１１は、この振り分けを反映させた無線回線送信データＤ１および無線回線送信データＤ５を、それぞれ変復調機能部１２および変復調機能部１３に送出する。
これにより、ロードバランス制御部１１は、変復調機能部１２から受信した無線回線Ｒ１の伝送容量情報Ｄ４と、変復調機能部１３から受信した無線回線Ｒ２の伝送容量情報Ｄ６とにより、無線回線Ｒ１と無線回線Ｒ２との伝送容量を監視する。
【００１９】
また、ロードバランス制御部１１は、自己の通信量監視部１１１（図２）において送信データＤ１０を監視し、送信データ量Ｄ２１として伝送容量差分計算部１１２（伝送容量の残り量を計算する構成要素）に出力する。
この伝送容量差分計算部１１２には、前述の伝送容量情報Ｄ４及び伝送容量情報Ｄ６と、送信データ量Ｄ２１とが入力され、送信データ量のトータルが無線回線Ｒ１，Ｒ２のトータル伝送容量を越えている場合に送信データ制御部１１３においてフロー制御を行い、無線回線Ｒ１，Ｒ２に出力するデータ量を絞る。
さらに、ロードバランス制御部１１は、無線回線Ｒ１と無線回線Ｒ２との伝送容量の比を示す伝送容量値比率Ｄ２４に基づいて、無線回線Ｒ１，Ｒ２を介して送信する送信データを振り分ける。
【００２０】
変復調機能部１２及び変復調機能部１３は、ロードバランス制御部１１より受け取った無線回線送信データＤ１，Ｄ５を、無線送受信回路１４へ出力する。
また、変復調機能部１２及び変復調機能部１３は、無線回線Ｒ１，Ｒ２の変調方式を制御する機能を備え、無線回線Ｒ１，Ｒ２の変調方式に応じた伝送容量情報Ｄ４，Ｄ６をロードバランス制御部１１へ出力する。
また、変復調機能部１２は、無線送受信回路１４から受信した無線回線受信データＤ３を、無線回線受信データＤ９として受信データ制御部１５に送出し、変復調機能部１３は、無線送受信回路１４から受信した無線回線受信データＤ８を、無線回線受信データＤ１２として受信データ制御部１５に送出する。
【００２１】
無線送受信回路１４は、変復調機能部１２から受信した無線回線送信データＤ２を無線回線Ｒ１を介して送信し、変復調機能部１３から受信した無線回線送信データＤ７を無線回線Ｒ２を介して送信する。
また、無線送受信回路１４は、無線回線Ｒ１から受信した無線回線受信データＤ３を変復調機能部１２に送出し、無線回線Ｒ２から受信した無線回線受信データＤ８を変復調機能部１３に送出する。
受信データ制御部１５は、変復調機能部１２から受信した無線回線受信データＤ９、及び変復調機能部１３から受信した無線回線受信データＤ１２を、受信データＤ１１としてＬＡＮ回線Ｅ１を介して送信する。
【００２２】
上記でも参照した図２は、本発明の実施形態に係る無線伝送装置のロードバランス制御部１１の構成を示す構成図である。
同図において、ロードバランス制御部１１は、送信データＤ１０の通信量を監視し、送信データ量Ｄ２１として出力する通信量監視部１１１と、無線回線のトータル伝送容量と送信データ量との差分を計算する伝送容量差分計算部１１２と、伝送容量差分Ｄ２３に基づいて送信データＤ１０を制御し、送信データＤ２２として出力する送信データ制御部１１３と、無線回線Ｒ１と無線回線Ｒ２との伝送容量の比率を計算する伝送容量値差比率計算部１１４と、送信データＤ２２を伝送容量値比率Ｄ２４に基づいて無線回線Ｒ１と無線回線Ｒ２にそれぞれ対する無線回線送信データＤ１とＤ５とに振り分ける送信データ振り分け部１１５（送信データ分配手段）と、を備えて構成される。
【００２３】
以下、図２に示すロードバランス制御部１１の機能を詳しく説明する。
通信量監視部１１１は、受信した送信データＤ１０のデータ量を監視し、送信データ量Ｄ２１として、伝送容量差分計算部１１２へ送出する。
伝送容量差分計算部１１２は、通信量監視部１１１から受信した送信データ量Ｄ２１と、伝送容量情報Ｄ４及び伝送容量情報Ｄ６とに基づいて、無線回線Ｒ１及び無線回線Ｒ２（図１）のトータル無線回線伝送容量と送信データ量Ｄ２１との差分を計算し、伝送容量差分Ｄ２３として、送信データ制御部１１３へ送出する。
【００２４】
伝送容量値比率計算部１１４は、受信した伝送容量情報Ｄ４と、伝送容量情報Ｄ６とに基づいて、無線回線Ｒ１と、無線回線Ｒ２との伝送容量の比率を計算し、伝送容量値比率Ｄ２４として送信データ振り分け部１１５へ送出する。
送信データ制御部１１３は、受信した送信データＤ１０を、伝送容量差分計算部１１２から受信した伝送容量差分Ｄ２３に基づいて検証し、送信データ量Ｄ１０が前述のトータル無線回線伝送容量を上回っている（伝送容量差分Ｄ２３が負として与えられている)と判断される場合にはフロー制御を行い（フロー制御手段）、送信データＤ２２として送信データ振り分け部１１５へ送出する。
【００２５】
送信データ振り分け部１１５は、送信データ制御部１１３から受信した送信データＤ２２を、伝送容量値比率計算部１１４から受信した伝送容量値比率Ｄ２４に基づいて振り分けを行い、無線回線送信データＤ１と無線回線送信データＤ５として出力する。
なお、変調方式を変化させることによって無線回線の伝送容量が変化することについては当業者間では良く知られていることであり、本発明とは直接関係しないため、ここでの説明は省略する。
以上の構成により、ロードバランス制御部１１は、ＡＭＲ機能を備えた無線伝送装置１に適用可能なロードバランス制御機能を実現することができる。
【００２６】
（動作の説明）
以下、本実施形態の無線伝送装置の動作を実施例に基づいて説明する。
図３は、無線回線の伝送容量情報と送信データ量との関係を１実施例データとして示す説明図である。
ここでは、ロードバランス制御部１１に入力される伝送容量情報Ｄ４（図１）の１例を伝送容量情報３０１とし、同じく、ロードバランス制御部１１に入力される伝送容量情報Ｄ６（図１）の１例を伝送容量情報３０２とし、トータル伝送容量値をトータル伝送容量値３０３とし、送信データ量Ｄ２１（図２）の１例を送信データ量３０４とする。また、伝送容量差分Ｄ２３（図２）の１例を伝送容量差分３０５とする。
以下、無線回線のトータル伝送容量３０３が送信データ量３０４を上回っている場合についての実施例を図３の実施例データを参照して説明する。
【００２７】
図３において、無線回線Ｒ１の伝送容量情報３０１が示す伝送容量値をＡ、無線回線Ｒ２の伝送容量情報３０２が示す伝送容量値をＢとすると、無線回線のトータル伝送容量値３０３はＡ＋Ｂとなる。送信データ量３０４が示す送信データ量をＴとすると、伝送容量差分計算部１１２では伝送容量差分３０５がＡ＋Ｂ−Ｔとして計算される。
図３に示す実施例データにおいては、伝送容量差分３０５がＡ＋Ｂ−Ｔ＞０であるので、伝送容量差分３０５は正の値となる。よって、この例では無線回線のトータル伝送容量３０３が送信データ量３０４を上回っている場合であるので、送信データ制御部１１３では送信データのフロー制御を行わない。
【００２８】
また、伝送容量値比率計算部１１４では伝送容量比率をＡ：Ｂとして計算し、送信データ振り分け部１１５に送出される。送信データ振り分け部１１５では、前述の伝送容量比率（Ａ：Ｂ）に基づいて、無線回線送信データＤ１をＴ×Ａ／（Ａ＋Ｂ）とし、かつ無線回線送信データＤ５をＴ×Ｂ／（Ａ＋Ｂ）として、各々振り分ける。
図４は、無線回線の伝送容量情報と送信データ量との他の関係を１実施例データとして示す説明図である。
ここでは、ロードバランス制御部１１に入力される伝送容量情報Ｄ４（図１）の１例を伝送容量情報４０１とし、同じく、ロードバランス制御部１１に入力される伝送容量情報Ｄ６（図１）の１例を伝送容量情報４０２とし、トータル伝送容量値をトータル伝送容量値４０３とし、送信データ量Ｄ２１（図２）の１例を送信データ量４０４とする。また、伝送容量差分Ｄ２３（図２）の１例を伝送容量差分４０５とする。
【００２９】
以下、送信データ量４０４が無線回線のトータル伝送容量４０３を上回っている場合についての実施例を図４の実施例データを参照して説明する。
図４において、無線回線Ｒ１の伝送容量情報４０１をＡ、無線回線Ｒ２の伝送容量情報をＢ−Ｘと動的に変化させた場合、図３の実施例と同様に、無線回線のトータル伝送容量値４０３はＡ＋Ｂ−Ｘとなる。同様に、送信データ量４０４をＴとすると、伝送容量差分４０５はＡ＋Ｂ−Ｘ−Ｔとなる。  
この実施例の場合は、伝送容量差分４０５がＡ＋Ｂ−Ｘ−Ｔ＜０であるので、伝送容量差分４０５は負の値となる。即ち、送信データ量４０４が、無線回線のトータル伝送容量４０３を上回っている場合場合であるので、送信データ制御部１１３において送信データＤ１０のフロー制御を行う。
【００３０】
また、この実施例の場合は、伝送容量比率がＡ：（Ｂ−Ｘ）と計算されて、送信データ振り分け部１１５に送出される。送信データ振り分け部１１５では、前述の伝送容量比率（Ａ：（Ｂ−Ｘ））に基づいて、無線回線送信データＤ１をＴ×Ａ／（Ａ＋Ｂ−Ｘ）とし、かつ無線回線送信データＤ５をＴ×（Ｂ−Ｘ）／（Ａ＋Ｂ−Ｘ）として振り分ける。
また、図４の実施例データの場合は、前述のように送信データ制御部１１３において送信データＤ１０のフロー制御（一度に送出するデータ量の調整）を行うため、無線回線系統における送信データＤ１０の一部破棄は生じさせることなく、的確なロードバランス制御を行うことができる。
【００３１】
なお、本実施形態に係る無線伝送装置１の前述の機能、特に、ロードバランス制御部１１の機能をコンピュータプログラムで実行する構成も可能であり、このようなコンピュータプログラムを適当な記憶媒体に記憶させることも可能である。
【００３２】
本実施形態に係る無線伝送装置によれば、前述のとおり、ロードバランス制御部１１にて通信量監視部１１１が送信データＤ１０の送信データ量を監視し、送信データ制御部１１３において、無線回線Ｒ１，Ｒ２のトータル伝送容量を超えないように送信データＤ１０のフロー制御を行って、回線の帯域に合わせてデータ量が絞られた送信データＤ２２を送信データ振り分け部１１５に送出し、送信データ振り分け部１１５にて無線回線Ｒ１，Ｒ２各々の無線伝送容量の比に基づいて送信データＤ２２の振り分けを行うので、無線回線系統における送信データの破棄を生じさせずに適切なロードバランス制御を行うことが可能となる効果が有る。
【産業上の利用可能性】
【００３３】
本発明は無線伝送装置の構築に適用可能であり、特に、ＡＭＲ機能を具備し、異なる２地点間を複数の無線回線で結ぶことができる無線伝送装置の構築に好適である。
【符号の説明】
【００３４】
１  無線伝送装置（本発明に係る装置）
１１  ロードバランス制御部
１２，１３  変復調機能部
１４  無線送受信回路
１５  受信データ制御部
１１１  通信量監視部
１１２  伝送容量差分計算部
１１３  送信データ制御部
１１４  伝送容量値比率計算部
１１５  送信データ振り分け部
Ｅ１  ＬＡＮ回線
Ｒ１，Ｒ２  無線回線
【図１】
2011052446.tif 000003
【図２】
2011052446.tif 000004
【図３】
2011052446.tif 000005
【図４】
2011052446.tif 000006
【国際調査報告】
2011052446.tif 000007
2011052446.tif 000008
2011052446.tif 000009
2011052446.tif 000010